(57)【要約】【課題】  まな板に貫通孔を加工せず、流し台のシンク槽内に縦長の支持部材を設置し、この支持部材とシンク槽周囲のカウンタートップに一部まな板のを設置することにより、シンク槽上でまな板を水平に維持して使用できるまな板支持具を提供する。【解決手段】  まな板用支持具２０は、流し台１０のシンク槽１２内に設置され、縦長の支持部材２２と、この支持部材２２の上部に設けられた上弾性部材２８と、支持部材２２の底部に設けられた下弾性部材３０とを備える。シンク槽１２周囲のカウンタートップ１１に一部が載置された状態のまな板１６に、上弾性部材２８を当接させて当該まな板１６を支持する。【選択図】          図１
2005305000.tif 000002
【特許請求の範囲】
【請求項１】
流し台のシンク槽内に設置され、縦長の支持部材と、該支持部材の上部に設けられた上弾性部材と、前記支持部材の底部に設けられた下弾性部材とを備えると共に、
前記シンク槽周囲のカウンタートップに一部が載置された状態のまな板に、前記上弾性部材を当接させて当該まな板を支持することを特徴とするまな板用支持具。
【請求項２】
前記上弾性部材の上面を湾曲面とすると共に、前記下弾性部材の底面を平面、若しくは、凹凸面、若しくは、凹面としたことを特徴とする請求項１のまな板用支持具。
【請求項３】
前記支持部材は、下側に位置する下支持部材と、該下支持部材の上側に位置する上支持部材とから構成されて長手方向に伸縮可能とされ、且つ、伸縮された状態を保持可能とされていることを特徴とする請求項１又は請求項２のまな板用支持具。
【請求項４】
前記上支持部材と下支持部材は相互に螺合され、当該螺合度合いにより前記支持部材は長手方向に伸縮可能とされていることを特徴とする請求項３のまな板用支持具。
【発明の詳細な説明】
【技術分野】
【０００１】
本発明は、流し台のシンク槽周囲のカウンタートップに上にまな板を安定して載置するためのまな板用支持具に関するものである。
【背景技術】
【０００２】
従来より台所や調理場で使用される流し台は、シンク槽周囲に調理台（カウンタートップ）が並んで配設されている。シンク槽内では食器や野菜などの水洗い等が行われ、カウンタートップ上にはまな板等が載置され、そのまな板上で各種の調理作業が行われている。また、流し台の側には、一般的に電気コンロやガスコンロ或いはＩＨクッキング調理器などが配設されており、カウンタートップ上でそれらの調理器で使用する調理鍋や調理皿などを一時載置して使用していた。調理鍋や調理皿をカウンタートップ上に載置すると、まな板を使用する調理作業時にそれらが邪魔であった。
【０００３】
そこで、流し台を有効利用するため、まな板を支える棒と、この支え棒を支持する棒（支持棒）及び取付け具とからなる専用のスタンドを設けたまな板が出願されている。係る公報によれば、支持棒に取り付けた棒（支え棒）をシンク槽上に張架し、この支え棒をまな板に設けた貫通孔に通して後方を支え、まな板の前方を水槽前縁（シンク槽のカウンタートップ）に載せて支えている。これにより、シンク槽上でまな板を使用して、流し台を有効利用できるように構成していた（特許文献１参照）。
【０００４】
【特許文献１】特開平８−３０８７５２号公報
【発明の開示】
【発明が解決しようとする課題】
【０００５】
しかしながら、従来では流し台を有効利用するため、支持棒に取り付けた支え棒をシンク槽上に張架すると共に、張架した支え棒をまな板に設けた貫通孔に挿入して、シンク槽上にまな板を設置していた。しかし、一般に使用されているまな板には貫通孔が無かった。このため、まな板に支え棒を挿入するための貫通孔を設けなければ、シンク槽上にまな板を設置することができないという問題があった。
【０００６】
本発明は、係る従来技術の課題を解決するために成されたものであり、まな板に貫通孔を設けず、流し台のシンク槽内に縦長の支持部材を設置し、この支持部材とシンク槽周囲のカウンタートップにまな板の一部を設置することにより、シンク槽上にまな板を水平に設置できるまな板支持具を提供することを目的とする。
【課題を解決するための手段】
【０００７】
即ち、本発明のまな板用支持具は、流し台のシンク槽内に設置され、縦長の支持部材と、この支持部材の上部に設けられた上弾性部材と、支持部材の底部に設けられた下弾性部材とを備えると共に、シンク槽周囲のカウンタートップに一部が載置された状態のまな板に、上弾性部材を当接させて当該まな板を支持することを特徴とする。
【０００８】
また、請求項２の発明のまな板用支持具は、上記において、上弾性部材の上面を湾曲面とすると共に、下弾性部材の底面を平面、若しくは、凹凸面、若しくは、凹面としたことを特徴とする。
【０００９】
また、請求項３の発明のまな板用支持具は、請求項１又は請求項２に加えて、支持部材は、下側に位置する下支持部材と、この下支持部材の上側に位置する上支持部材とから構成されて長手方向に伸縮可能とされ、且つ、伸縮された状態を保持可能とされていることを特徴とする。
【００１０】
また、請求項４の発明のまな板用支持具は、請求項３において、上支持部材と下支持部材は相互に螺合され、当該螺合度合いにより支持部材は長手方向に伸縮可能とされていることを特徴とする。
【発明の効果】
【００１１】
以上詳述した如く本発明によれば、流し台のシンク槽内に設置され、縦長の支持部材と、この支持部材の上部に設けられた上弾性部材と、支持部材の底部に設けられた下弾性部材とを備えると共に、シンク槽周囲のカウンタートップに一部が載置された状態のまな板に、上弾性部材を当接させて当該まな板を支持するので、シンク槽周囲のカウンタートップと支持部材とでまな板を略水平に支持することができる。また、まな板をシンク槽の上にガタ付き無く設置することができるので、流し台のカウンタートップ面がまな板に占有されることがない。これにより、流し台を有効利用することが可能になると共に、シンク槽の上に設置したまな板で好適な調理作業を行うことができるようになる。従って、まな板用支持具の利便性を大幅に向上させることができるようになるものである。
【００１２】
また、支持部材の上部に上弾性部材を設けると共に、支持部材の底部に下弾性部材を設けているので、シンク槽の底面やまな板が傷ついてしまうのを防止することができ、安心してまな板用支持具を使用することができる。特に、まな板用支持具は、支持部材の上部に上弾性部材を設けると共に、支持部材の底部に下弾性部材を設け、シンク槽底部へ設置しているだけなので、まな板用支持具の着脱が容易となる。これにより、まな板用支持具の取り扱いを簡単にできてまな板用支持具の使い勝手を極めて向上させることができるようになる。
【００１３】
また、請求項２の発明によれば、上記において、上弾性部材の上面を湾曲面とすると共に、下弾性部材の底面を平面、若しくは、凹凸面、若しくは、凹面としたので、上弾性部材の上面とまな板とを点接触で支持することができる。これにより、上弾性部材の上面を例えば、平面にしてまな板に当接させた場合に対してガタ付きを無くすことができる。従って、まな板を安定してガタ付き無く設置することが可能となり、まな板上で好適な調理作業を行うことができるようになるものである。
【００１４】
また、下弾性部材の底面を平面とすることにより、シンク槽内に支持部材を立てて置くことができる。これにより、支持部材を予めシンク槽内に立てて置くことができるので、支持部材の設置作業が極めて容易となる。従って、誰でも簡単にまな板用支持具を使用することができ、まな板用支持具の利便性を大幅に向上させることができる。
【００１５】
また、下弾性部材の底面を凹凸面とすることにより、シンク槽底部が水で濡れている場合などでも、シンク槽底部と下弾性部材との間に介在した水により下弾性部材が滑ってしまうのを防止することができる。これにより、更に安定してまな板を支持することができるので、まな板上で極めて好適な調理作業を行うことができる。また、下弾性部材の底面を凹面とすることで、シンク槽底部に下弾性部材の底面を吸着させることができる。これにより、まな板用支持具をシンク槽底部に確実に立設させて置くことができる。従って、まな板用支持具が倒れることがないのでまな板を極めて容易にガタ付き無く設置することができるようになるものである。
【００１６】
また、請求項３の発明によれば、請求項１又は請求項２に加えて、支持部材は、下側に位置する下支持部材と、この下支持部材の上側に位置する上支持部材とから構成されて長手方向に伸縮可能とされ、且つ、伸縮された状態を保持可能とされているので、下支持部材と上支持部材とを伸縮させることによりまな板用支持具の高さを任意の位置に保持することが可能となる。これにより、流し台のシンク槽の深さに合わせて支持部材上部に設けた上弾性部材の上面を任意の高さに保持し、まな板を略水平にガタ付き無く設置することができるようになる。従って、流し台のシンク槽上でまな板を安定して使用することができるので、例えば、従来のようにカウンタートップ上に電気コンロやガスコンロ或いはＩＨクッキング調理器などで使用する調理鍋や調理皿などを一時載置した場合でも、それらが邪魔になることなく、まな板上で調理作業を行うことが可能となり、まな板用支持具の実用効果大なるものである。
【００１７】
また、請求項４の発明によれば、請求項３において、上支持部材と下支持部材は相互に螺合され、当該螺合度合いにより支持部材は長手方向に伸縮可能とされているので、例えば、上支持部材に下側を開口するネジ孔、下支持部材にボルトを設けることにより、上支持部材に設けたネジ孔に水が入り溜まってしまうのを防止することができる。これにより、ネジ孔内にカビが発生したり雑菌が繁殖したりしてしまう不都合を防止することが可能となる。従って、まな板用支持具を極めて衛生的に管理することができ、更にまな板用支持具の実用効果大なるものである。
【発明を実施するための最良の形態】
【００１８】
本発明は、流し台のカウンタートップ面を有効利用するため、流し台のシンク槽内に縦長の支持部材を設置し、シンク槽周囲のカウンタートップにまな板の一部を載置すると共にシンク槽内に設置した支持部材でまな板を支持することによりシンク槽上にまな板を載置することを特徴とする。シンク槽上にまな板を載置するという目的を、シンク槽内に支持部材を立設するだけの簡単な構造で実現した。
【実施例１】
【００１９】
次に、図面に基づき本発明の実施の形態を詳述する。図１は本発明のまな板用支持具２０を使用してシンク槽１２上にまな板１６を載置した状態を示す一実施例の流し台１０の平面図、図２は同図１の流し台１０の側面図、図３は本発明のまな板用支持具２０の正面図をそれぞれ示している。
【００２０】
流し台１０は、図１に示すようにカウンタートップ１１とシンク槽１２とから構成されている。このシンク槽１２内（右上）には排水口１３が設けられており、シンク槽１２の後部には調味料入れ１４やゴミ入れ１５等が設けられている。該シンク槽１２は横長略矩形状に構成されると共に、深さ約１８０ｍｍに構成されている。尚、排水口１３の下部には下水溝に連通する排水管１３Ａ（図２に図示）が接続されている。
【００２１】
シンク槽１２内には、まな板１６を設置してカウンタートップ１１面を有効利用するためのまな板用支持具２０が設けられている。該まな板用支持具２０は、図２に示すように、シンク槽１２内に立設され、このまな板用支持具２０の上とシンク槽１２周囲のカウンタートップ１１にまな板１６の一部が載置された状態で、シンク槽１２の上にまな板１６が略水平にガタ付き無く設置できるように構成されている。
【００２２】
まな板用支持具２０は、図３に示すように下側に位置する下支持部材２４と、この下支持部材２４の上側に位置する上支持部材２６とからなる縦長の支持部材２２にて構成されている。この下支持部材２４は図４に示すように下支持体２５と、この下支持体２５の上方に延在して設けられたボルト２５Ａと、下支持体２５の底部に設けられた下弾性部材３０とから構成されている。
【００２３】
該下支持体２５は、直径約５０ｍｍ〜１００ｍｍの円柱形にて構成され、ボルト２５Ａは、下支持体２５の中心に位置して所定寸法上方に延在している。また、下弾性部材３０は、直径約５０ｍｍ〜１００ｍｍ、厚さ約５ｍｍ〜１０ｍｍに構成されると共に、弾性を有するゴムやビニール或いは合成樹脂などにて構成されている。該下弾性部材３０は下支持体２５の下面に接着剤などによって固定されており、下弾性部材３０の底面３０Ａは平面に形成されている。この底面３０Ａによって、下支持部材２４はシンク槽１２底部１２Ａに安定して立設できるようになっている。
【００２４】
また、上支持部材２６は、図５に示すように上支持体２７と、この上支持体２７上部に設けられた上弾性部材２８とから構成されている。該上支持体２７は、下支持体２５同様直径約５０ｍｍ〜１００ｍｍの円柱形にて構成されており、底部の中心にネジ孔２７Ａが設けられている。このネジ孔２７Ａは上支持体２７の下側を開口して、上支持体２７の下側から下支持体２５に設けたボルト２５Ａが螺合可能に構成されると共に、ネジ孔２７Ａにボルト２５Ａが螺合された状態を保持可能に構成されている。この場合、上支持体２７の下側から下支持体２５に設けたボルト２５Ａが螺合された状態で、まな板用支持具２０は、長手方向に約１２０ｍｍ〜２００ｍｍの範囲で伸縮できるように構成している。
【００２５】
このネジ孔２７Ａとボルト２５Ａとは少し硬く螺合できるように構成しており、上支持体２７と下支持体２５を手で持って強く回動させればボルト２５Ａは回動するように構成されている。これによって、ネジ孔２７Ａにボルト２５Ａが螺合される任意の位置でネジ孔２７Ａとボルト２５Ａとを保持可能に構成している。尚、ネジ孔２７Ａの開口面側に、図示しないがボルト２５Ａ径より小さな孔を設けたゴムなどの弾性部材を固定し、この弾性部材の孔を介してボルト２５Ａをネジ孔２７Ａに螺合して、ネジ孔２７Ａにボルト２５Ａが螺合される任意の位置でネジ孔２７Ａとボルト２５Ａとを保持可能に構成しても良い。この場合、ネジ孔２７Ａとボルト２５Ａとの保持構造が簡単となり、まな板用支持具２０の製作が容易となる。
【００２６】
また、上弾性部材２８も下弾性部材３０同様、直径約５０ｍｍ〜１００ｍｍ、厚さ約５ｍｍ〜１５ｍｍに構成されると共に、弾性を有するゴムやビニール或いは合成樹脂にて構成されている。該上弾性部材２８は上支持体２７の上面に接着剤などによって固定されている。上弾性部材２８の上面２８Ａは断面略半球形の湾曲面になっている。これにより、上弾性部材２８の上面２８Ａとまな板１６とを点接触にて支持できるように構成している。
【００２７】
以上の構成で、上支持部材２６（上支持体２７）に設けたネジ孔２７Ａに、下支持部材２４（下支持体２５）に設けたボルト２５Ａが螺合する。そして、まな板用支持具２０をシンク槽１２底部１２Ａに立設した状態で、長手方向に伸縮し、シンク槽１２周囲のカウンタートップ１１面と上弾性部材２８の上面２８Ａが略水平になるように螺合度合いを調整する。
【００２８】
即ち、まな板用支持具２０の下弾性部材３０の底面３０Ａをシンク槽１２底部１２Ａへ当接してまな板用支持具２０を立設する。このとき、まな板用支持具２０は、図１に示すようにまな板１６の右上下側となる位置の、シンク槽１２底部１２Ａに立設する。そして、シンク槽１２周囲のカウンタートップ１１にまな板１６の一部を載置すると共に、まな板１６の右上側を、立設したまな板用支持具２０の上弾性部材２８の上面２８Ａに当接させる。これにより、まな板１６はシンク槽１２の上に略水平にガタ付き無く設置することができる。
【００２９】
このように、流し台１０のシンク槽１２内に設置され、縦長の支持部材２２と、この支持部材２２の上部に設けられた上弾性部材２８と、支持部材２２の下部に設けられた下弾性部材３０とを備えると共に、シンク槽１２周囲のカウンタートップ１１に一部が載置された状態のまな板１６に、上弾性部材２８を当接させてまな板１６を支持するので、シンク槽１２周囲のカウンタートップ１１と支持部材２２とでまな板１６を略水平に支持することができる。また、まな板１６をシンク槽１２の上にガタ付き無く設置することができるので、流し台１０のカウンタートップ１１面が、まな板１６に占有されることがない。これにより、流し台１０を有効利用することが可能になると共に、シンク槽１２の上に設置したまな板１６で好適な調理作業を行うことができるようになる。
【００３０】
また、支持部材２２の上部に上弾性部材２８を設けると共に、支持部材２２の底部に下弾性部材３０を設けているので、シンク槽１２の底部１２Ａやまな板１６が傷ついてしまうのを防止することができ、安心してまな板用支持具２０を使用することができる。特に、まな板用支持具２０は、支持部材２２の上部に上弾性部材２８を設けると共に、支持部材２２の底部に下弾性部材３０を設け、シンク槽１２底部１２Ａへ設置しているだけなので、まな板用支持具２０の着脱が容易である。これにより、まな板用支持具２０の取り扱いを簡単にできてまな板用支持具２０の使い勝手を極めて向上させることができる。
【００３１】
また、上弾性部材２８の上面２８Ａを湾曲面に形成しているので、上弾性部材２８の上面２８Ａとまな板１６とを点接触で支持することができる。これにより、シンク槽１２周囲のカウンタートップ１１に対してシンク槽１２の底部１２Ａが傾いていて平行でない場合などでも、上弾性部材２８の上面２８Ａとまな板１６とを点接触で支持することができる。また、上弾性部材２８の上面２８Ａを例えば平面にしてまな板１６に当接した場合に対してガタ付きを無くすことができる。これにより、まな板１６が揺れることなく安定してガタ付き無く設置することが可能となり、まな板１６上で好適な調理作業を行うことができるようになる。
【００３２】
また、下弾性部材３０の底面３０Ａを平面に形成することにより、シンク槽１２内に支持部材２２を立てて置くことができる。これにより、支持部材２２を安定して立てて置くことができるので、支持部材２２の設置作業が極めて容易となると共に、誰でも簡単にまな板用支持具２０を使用することができるので、まな板用支持具２０の利便性を大幅に向上させることができる。
【００３３】
また、支持部材２２は、下側に位置する下支持部材２４と、この下支持部材２４の上側に位置する上支持部材２６とから構成されて長手方向に伸縮可能とされ、且つ、伸縮された状態を保持可能としているので、下支持部材２４と上支持部材２６とを伸縮させることによりまな板用支持具２０を任意の高さに保持することが可能となる。これにより、流し台１０のシンク槽１２の深さに合わせて支持部材２２上部に設けた上弾性部材２８の上面２８Ａを任意の高さに保持し、まな板１６を略水平にガタ付き無く設置することができる。この場合、流し台１０のシンク槽１２上でまな板１６を使用することができるようになるので、例えば、従来のようにカウンタートップ１１上に電気コンロやガスコンロ或いはＩＨクッキング調理器などで使用する調理鍋や調理皿などを一時載置した場合などでも、それらが邪魔になることなく、まな板１６上で調理作業を行うことが可能となる。
【００３４】
また、上支持部材２６と下支持部材２４は、上支持部材２６に設けたネジ孔２７Ａと下支持部材２４に設けたボルト２５Ａにて相互に螺合され、この螺合度合いにより支持部材２２は長手方向に伸縮可能としている。この場合、上支持部材２６にネジ孔２７Ａ、下支持部材２４にボルト２５Ａを設けているので、上支持部材２６に設けた下側を開口するネジ孔２７Ａに水が入り溜まってしまうのを防止することができる。これにより、ネジ孔２７Ａにカビが発生したり雑菌が繁殖したりしてしまう不都合を防止することが可能となり、まな板用支持具２０を極めて衛生的に管理することができるようになる。また、まな板用支持具２０は、支持部材２６と下支持部材２４にて構成しているだけなのでコストの低減を図ることができる。
【実施例２】
【００３５】
次に、図６には本発明の他の実施例のまな板用支持具２０を示している。該まな板用支持具２０は、前述の実施形態と略同じ構成を有している。以下、異なる部分について説明する。尚、前述の実施の形態と同じ部分にはこれと同じ符号を付し、説明を省略する。まな板用支持具２０は、図６に示すように下支持部材２４の下支持体２５の底部に設けられた下弾性部材３０の底面３０Ａを凹凸面に形成している。
【００３６】
即ち、下弾性部材３０の底面３０Ａは、図７に示すように、半球状に突出して設けた複数の突部３１によって凹凸面に形成している。これによって、シンク槽１２底部１２Ａに、下弾性部材３０の底面３０Ａに設けた複数の突部３１がそれぞれ当接するように構成されている。これにより、シンク槽１２底部１２Ａに水や小さな異物などが付着している場合でも、下弾性部材３０の底面３０Ａが浮くことなくシンク槽１２底部１２Ａに当接するように構成している。
【００３７】
このように、下弾性部材３０の底面３０Ａを凹凸面とすることにより、シンク槽１２底部１２Ａが水で濡れている場合などでも、シンク槽１２底部１２Ａと下弾性部材３０との間に介在した水により下弾性部材３０が滑ってしまうのを防止することができる。これにより、まな板用支持具２０で安定してまな板１６を支持することができるので、まな板１６上で極めて好適な調理作業を行うことができる。
【００３８】
また、下弾性部材３０の底面３０Ａの凹凸を図８に示すように波形に形成しても良い。この場合も、半球状に突出して設けた複数の突部３１同様、シンク槽１２底部１２Ａが水で濡れている場合などでも、シンク槽１２底部１２Ａと下弾性部材３０との間に介在した水により下弾性部材３０が滑ってしまうのを防止することができる。これにより、まな板用支持具２０で安定してまな板１６を支持することができるので、まな板１６上で極めて好適な調理作業を行うことができる。
【００３９】
また、下弾性部材３０の底面３０Ａを下支持体２５側に凹ませた凹面に形成しても良い。この場合、下弾性部材３０周囲より内側を凹陥させた所謂ガラスなどの鏡面に吸着させる吸盤（図示せず）を設けている。これにより、下弾性部材３０の底面３０Ａがシンク槽１２底部１２Ａに吸着するように構成している。尚、下弾性部材３０の底面３０Ａに複数の吸盤を設けても差し支えない。この場合、一つの吸盤が吸着し難くなってしまった場合でも他の吸盤をシンク槽１２底部１２Ａに吸着させることができるので、下弾性部材３０の底面３０Ａをより確実にシンク槽１２底部１２Ａに吸着させることができる。
【００４０】
このように、下弾性部材３０の底面３０Ａに吸盤（凹面）を設けることにより、シンク槽１２底部１２Ａに下弾性部材３０の底面３０Ａを容易に吸着させることができる。これにより、まな板用支持具２０をシンク槽１２底部１２Ａに吸着させて確実に立設しておくことができる。従って、シンク槽１２底部１２Ａに吸着させた下弾性部材３０の底面３０Ａによって、まな板用支持具２０が倒れてしまうのを確実に防止することができるので、シンク槽１２周囲のカウンタートップ１１と支持部材２２とで極めて容易にまな板１６をガタ付き無く設置することができるようになるものである。
【００４１】
尚、実施例ではまな板用支持具２０の構成部品の寸法を記載したが、板用支持具２０の構成部品寸法はこれらの寸法に限られるものでない。また、まな板用支持具２０は、本発明の要旨を逸脱しない範囲で種々変更可能であることは言うまでもない。
【図面の簡単な説明】
【００４２】
【図１】本発明のまな板用支持具を使用してシンク槽上にまな板を載置した状態を示す一実施例の流し台の平面図である（実施例１）。
【図２】同図１の流し台の側面図である。
【図３】本発明のまな板用支持具の正面図である。
【図４】本発明のまな板用支持具を構成する下支持部材の側面図である。
【図５】本発明のまな板用支持具を構成する上支持部材の縦断側面図である。
【図６】本発明のまな板用支持具を構成する他の下支持部材の側面図である（実施例２）。
【図７】同図６の下支持部材の底面図である。
【図８】下支持部材の他の底面図である。
【符号の説明】
【００４３】
１０  流し台
１１  カウンタートップ
１２  シンク槽
１２Ａ  底部
１６  まな板
２０  まな板用支持具
２２  支持部材
２４  下支持部材
２５Ａ  ボルト
２６  上支持部材
２７Ａ  ネジ孔
２８  上弾性部材
２８Ａ  上面
３０  下弾性部材
３０Ａ  底面
【図１】
2005305000.tif 000003
【図２】
2005305000.tif 000004
【図３】
2005305000.tif 000005
【図４】
2005305000.tif 000006
【図５】
2005305000.tif 000007
【図６】
2005305000.tif 000008
【図７】
2005305000.tif 000009
【図８】
2005305000.tif 000010